(57)【特許請求の範囲】
【請求項１】
患者に光治療を提供するためのシステムにおいて、
４６０ｎｍ〜５７０ｎｍの範囲の波長において強度ピークを含む可視光を、少なくとも１つの第１の帯域幅の環境強度より強い強度で放出することが可能な少なくとも１つの光源であって、前記少なくとも１つの光源から放出される光の大部分が、４６０ｎｍ〜５７０ｎｍの範囲の波長を含み、前記少なくとも１つの光源は、５７０ｎｍより長く７５０ｎｍまでの範囲の少なくとも１つの波長において強度ピークを有する少なくとも１つの第２の帯域幅の可視光を放出することが更に可能な、少なくとも１つの光源と、
前記光源によって発生される、可視光の前記第１の帯域幅よりも大きな可視光の波長に対して患者が露出されるのを制限するための少なくとも１つのフィルタであって、５７０ｎｍより長く７５０ｎｍまでの範囲の前記少なくとも１つの波長において前記強度ピークの強度を制限することを含む、少なくとも１つのフィルタと
を備えた、システム。
【請求項２】
患者に光治療を提供するためのシステムであって、
４６０ｎｍ〜５７０ｎｍの範囲の波長において強度ピークを含む可視光を、少なくとも１つの第１の帯域幅の環境強度より強い強度で放出し、一方では可視光を少なくとも１つの第２の帯域幅の環境強度より弱い強度で放出するための少なくとも１つの光源を含み、
可視光の前記少なくとも１つの第２の帯域幅は、５７０ｎｍより長く７５０ｎｍまでの範囲の少なくとも１つの波長において強度ピークを含む、システム。
【請求項３】
可視光の前記少なくとも１つの第１の帯域幅は、可視光の青色〜緑色の波長および可視光の緑色波長の少なくとも１つを含む、請求項１または２に記載のシステム。
【請求項４】
可視光の前記少なくとも１つの第１の帯域幅の前記強度ピークは、４９０ｎｍから５７０ｎｍの範囲内にある、請求項１または２に記載のシステム。
【請求項５】
可視光の前記少なくとも１つの第１の帯域幅の前記強度ピークは、５２０ｎｍから５７０ｎｍの範囲内にある、請求項１または２に記載のシステム。
【請求項６】
前記光源は、前記少なくとも１つの第２の帯域幅の可視光を放出するようには構成されない、請求項２に記載のシステム。
【請求項７】
前記少なくとも１つの光源は、
可視光の前記少なくとも１つの第１の帯域幅の前記強度ピークを発生する、少なくとも１つの光源と、
可視光の前記少なくとも１つの第２の帯域幅に対して患者が露出されるのを制限するための少なくとも１つのフィルタとを含む、請求項２に記載のシステム。
【請求項８】
前記少なくとも１つのフィルタは、前記少なくとも１つの第２の帯域幅の可視光が通過する量を環境量または環境量より少ない量に制限する、請求項１または７に記載のシステム。
【請求項９】
前記少なくとも１つのフィルタは、前記少なくとも１つの第２の帯域幅の可視光が通過するのを実質的に妨げる、請求項１または７に記載のシステム。
【請求項１０】
前記少なくとも１つのフィルタは、前記少なくとも１つの第２の帯域幅の可視光の強度が可視光の前記少なくとも１つの第１の帯域幅の強度より低くなるように、前記少なくとも１つの光源を越えて患者に放出される前記少なくとも１つの第２の帯域幅の可視光の前記強度を制限する、請求項１または７に記載のシステム。
【請求項１１】
前記光源は、白色光の源を含む、請求項１または２に記載のシステム。
【請求項１２】
前記少なくとも１つの光源は、５７０ｎｍより長く７５０ｎｍまでの範囲の波長において強度ピークを含む可視光を選択的に放出するようにも構成される、請求項１または請求項２に記載のシステム。
【請求項１３】
前記少なくとも１つの光源は、少なくとも１つの筋肉運動関連の神経疾患の少なくとも１つの症状を悪化させることが可能な強度ピークを含む可視光を、前記少なくとも１つの筋肉運動関連の神経疾患の少なくとも１つの症状を悪化させるのに十分な強度で選択的に放出するようにも構成される、請求項１２に記載のシステム。
【請求項１４】
前記光源は、前記少なくとも１つの筋肉運動関連の神経疾患の前記少なくとも１つの症状を悪化させることが可能な前記波長で前記強度ピークを放出するとき、可視光の前記少なくとも１つのピークを、前記筋肉運動関連の神経疾患を治療するのに十分でない強度で放出するように構成される、請求項１３に記載のシステム。
【請求項１５】
可視光の前記少なくとも１つの第１の帯域幅及び可視光の前記少なくとも１つの第２の帯域幅の１つのみを選択的に前記光源に放出させるための制御要素をさらに含む、請求項１２に記載のシステム。
【発明の詳細な説明】
【技術分野】
【０００１】
関連出願の相互参照
本願は、これより前に出願された国際特許出願第ＰＣＴ／ＵＳ２０１２／０４０２８４号に基づき優先権を主張するものであり、この国際特許出願は、特許協力条約（ＰＣＴ）に従い、２０１２年５月３１日に「ＬＩＧＨＴ−ＥＭＩＴＴＩＮＧ  ＡＰＰＡＲＡＴＵＳＥＳ  ＦＯＲ  ＴＲＥＡＴＩＮＧ  ＡＮＤ／ＯＲ  ＤＩＡＧＮＯＳＩＮＧ  ＭＯＴＯＲ−ＲＥＬＡＴＥＤ  ＮＥＵＲＯＬＯＧＩＣＡＬ  ＣＯＮＤＩＴＩＯＮＳ」と題して出願され、その開示全体は、参照によって本明細書に援用される。本願は、国際特許出願第ＰＣＴ／ＵＳ２０１２／０４０２８４号の一部継続出願である。
【背景技術】
【０００２】
本開示は、１つまたは複数の筋肉運動関連の神経疾患を診断するように、および／または筋肉運動関連の神経疾患に対して治療効果を有するように調整された光の波長に患者を晒す装置に全体的に関する。そのような露光装置は、患者の眼が感知する光を調整するように構成することができる。
【発明の概要】
【課題を解決するための手段】
【０００３】
本発明の光治療装置は、光源を用いる。いくつかの実施形態では、光治療装置は光放出装置を含み、その光放出装置は、光源と、その光源を動作させるための電気的構成要素と、それら光源および電気的構成要素を搭載するためのハウジングとを含む。さらに、発光装置は、電気構成要素の１つまたは複数と協働しユーザが光源の動作を制御できるようにするコントロールを含むことができる。コントロールは、光源に対する基本的な制御、すなわち光源をオン／オフする能力をユーザに与えることができる。さらに、コントロールは、より複雑な機能を実施する能力をユーザに与えることができ、これらの複雑な機能は、これらに限定されないが光源が放出する光の強度を調節する能力、光源が放出する光のスペクトル（複数可）を調整する能力を含めて光源が放出する光の色（複数可）を調節する能力、および光源が動作する期間を制御する能力の１つまたは複数を含む。
【０００４】
いくつかの実施形態では、発光装置のコントロールは、事前にプログラムされるマイクロコントローラ、１つまたは複数のマイクロプロセッサなど、１つまたは複数の処理要素を含むことができる。発光装置の処理要素は、発光装置のエレクトロニクスと通信し、光源と間接的に通信する。それによって、処理要素は、光源の動作を制御することができる。本発明の発光装置のコントロールが処理要素を含む実施形態では、また、発光装置は、付随する入力要素および出力要素を含むことができ、いくつかの実施形態では、通信要素を含むことができる。
【０００５】
他の実施形態では、本開示の光治療装置は、患者がそれに晒される、可視光を含む光の１つまたは複数の波長を制限するための１つまたは複数のフィルタを含む。フィルタは、光源（たとえば光放出装置、標準電源など）とともに使用するように構成することができ、いくつかの実施形態では、フィルタは、光源と結合する、またはそうでなければ、それとともに組み立てるように構成することができる。あるいは、フィルタは、光源から遠隔の場所で、患者が晒される可能性がある様々な波長の光の量を、やはり制御しながら使用するように構成することができる。
【０００６】
一態様では、本発明は、筋肉運動関連の神経疾患に対処するように調整される光を放出するように構成される光治療装置を含む。様々な実施形態では、そのような光治療装置は
、筋肉運動関連の神経疾患を治療する、筋肉運動関連の神経疾患の症状を治療する、筋肉運動関連の神経疾患の一因になっている恐れがある網膜細胞の修復を促進させる、または筋肉運動関連の神経疾患に関与している恐れがあるニューロンの修復を促進させることになる波長において少なくとも１つの強度ピークを有する可視光に、患者を晒すことができる。その少なくとも１つの強度ピークは、その対応する波長の光の環境量より多い量、または平均環境量より多い量を含むことができる。放出される、または患者がそれに晒される可視光は、筋肉運動関連の神経疾患を治療しない、筋肉運動関連の神経疾患の症状を治療しない、筋肉運動関連の神経疾患の一因になっている恐れがある網膜細胞の修復を促進させない、または筋肉運動関連の神経疾患に関与している恐れがあるニューロンの修復を促進させない光が、環境量より多い量または平均環境量より多い量に満たないことがある（すなわち、可視光は、光の環境量、平均環境量、環境量より少ない量または平均環境量より少ない量を含むことがある）。任意選択で、放出される、または患者がそれに晒される可視光は、モノアミンまたはアミンなどの神経化学物質の生成を、または誘発神経内分泌反応を抑制する、または調節する光が、環境量より多い量、または平均環境量より多い量に満たないことがある（すなわち、可視光は、光の環境量、平均環境量、環境量より少ない量または平均環境量より少ない量を含むことがある）。
【０００７】
筋肉運動関連の神経疾患またはそれらの症状を治療する波長の実施例は、必ずしもこれらに限定されないが光の青色〜緑色の波長および光の緑色波長を含み、それらは、また、簡単化のために、それぞれ本明細書で「青色〜緑色の光」および「緑色光」と称する。本発明の範囲を限定せずに、「緑色光」は、光の狭帯域幅（すなわち、可視緑色光の単一波長の光または可視緑色光の波長の狭い範囲の光）を指し、さらにまた、強度ピークが緑色光の１つまたは複数の波長に在る、より広いスペクトル光（たとえば、白色光、他の多色光（すなわち、光のマルチ・カラー）の混合など）を指す。また、「青色〜緑色の光」は、光の狭帯域幅、および強度ピークが青色〜緑色の光の１つまたは複数の波長に在る多色光を含む。筋肉運動関連の神経疾患またはその症状を治療することになる光のより具体的な実施例は、４９０ｎｍ〜５７０ｎｍまたは５２０ｎｍ〜５７０ｎｍの波長を環境量より多い量で含む光を含む。光の大部分（すなわち、光子数、放射照度など）は、これらの範囲のどちらか内の１つまたは複数の波長を含むことができる、すなわち、光は、これらの波長の１つまたは複数によって高めることができる。また、光は、可視光の他の波長が環境量または環境量より多い量に満たないことがある。
【０００８】
濃い赤色光および近赤外光（たとえば、６５０ｎｍ〜９００ｎｍなど）の波長は、ミトコンドリアの修復を活性化することができ、したがって、ミトコンドリアがその一部である網膜細胞および／またはニューロンを含む、細胞の修復を活性化することができる。また、光は、光を使用して眼の網膜細胞および／または黒質のニューロンの修復を活性化することによって、多くの筋肉運動関連の神経疾患の症例に対処することができる。
【０００９】
発光装置は、可視光（たとえば、青色〜緑色の光および／または緑色光、濃い赤色光および／または近赤外放射など）を、１つまたは複数の筋肉運動関連の神経疾患またはそれらの症状を治療するレベル（たとえば、強度、光子密度、放射照度など）で放出するように構成することができる。様々な実施形態では、光の１つまたは複数の治癒する力がある波長は、標準的な屋内環境の照明下でそのような波長の対応する、本明細書では「環境レベル」と称するレベルを超えるレベルで、投与することができる。いくつかの実施形態では、光の１つまたは複数の治癒する力がある波長は、標準的な屋内照明下で光のこれらの波長の平均レベルを超えるレベルで投与することができる。これらの平均レベルは、本明細書では「平均環境レベル」と称する。
【００１０】
１つまたは複数の筋肉運動関連の神経疾患について治療を施すように構成される発光装置は、１つまたは複数の筋肉運動関連の神経疾患の症状を和らげる（たとえば、明らかに
する、悪化させるなど）光の１つまたは複数の波長を、十分でない強度で放出するように構成することができる。症状を悪化させる波長は、可視赤色波長を含み、また、光の可視のオレンジ色およびアンバー色の波長の１つまたは複数を含むと見なすことができるはずである。いくつかの実施形態では、そのような発光装置は、治癒力のある光を放出することができ、さらに、光の症状を悪化させる波長を、十分でない強度で放出することができる。他の実施形態では、そのような発光装置は、光の１つまたは複数の症状を悪化させる波長をまったく放出することなく、または実質的に放出することなく、治癒力のある光を放出することができる。いくつかの実施形態では、十分でない強度は、光の症状を悪化させる波長の環境強度より弱い強度または環境強度とすることができる。他の実施形態では、光の症状を悪化させる波長の環境強度より強い強度でさえ、筋肉運動関連の神経疾患の症状を悪化させるのに十分でないことがある。これは、光の症状を悪化させる波長が、光放出装置から放出される全光または患者がそれに晒される光のわずかな部分（たとえば、全強度の３分の１またはそれより低いなど）だけを占める場合であるという可能性がある。
【００１１】
光放出装置が、光を１つまたは複数の治療波長の環境レベルより高いレベルで放出するように構成される、いくつかの実施形態では、光放出装置は、光を環境量で、光を環境量より少ない量で、または治療波長の範囲外の実質的に光でないものを放出することができる。いくつかの実施形態では、光源は、光を、１つまたは複数の症状を悪化させる波長の環境レベルまたは環境レベルより低いレベルで放出するように構成することができる。他の実施形態では、発光装置は、治癒力のある光の１つまたは複数の波長を、環境より高いレベルで放出することができ、さらにまた、光の少なくとも１つの症状を強める波長の光を実質的に放出しない、または光の少なくとも１つの症状を強める波長の光をまったく放出しないことができる。したがって、光源は、少なくとも１つの筋肉運動関連の神経疾患に対処する光の１つまたは複数の波長と、少なくとも１つの筋肉運動関連の神経疾患の症状を強めない、または悪化させない光とだけからなる光、またはそれらからなる光さえ放出するように構成することができる。
【００１２】
別の態様では、本発明の発光装置は、筋肉運動関連の神経疾患の早期診断を容易にするように構成することができる。そのような装置の様々な実施形態では、環境より高いレベルで、アンバー色、オレンジ色および／もしくは赤色の光、または、筋肉運動関連の神経疾患の症状を悪化させるのに十分なレベルまたは強度の波長が放出される。いくつかの実施形態では、光の１つまたは複数の症状を悪化させる波長の環境強度より強い強度は、筋肉運動関連の神経疾患を示している可能性があるが筋肉運動関連の神経疾患であると確かに診断できない、いくつかの症状（初期症状を含む）を示す患者に施すことができる。他の実施形態では、筋肉運動関連の神経疾患の症状を悪化させるのに十分な強度は、光の症状を悪化させる波長の環境強度より弱い強度または環境強度とすることができる、たとえば、光の症状を悪化させる波長が、光放出装置から放出される全光または患者がそれに晒される光の十分な量（たとえば、その３分の１またはそれより多い、その大部分など）を占めるときである。症状を悪化させる光の１つまたは複数の波長の十分な強度（複数可）は、そのような患者に施されたとき、患者の症状をより明らかに表明させることができる、または患者に、以前には示していない症状を一時的に示すようにさせることができ、それによって筋肉運動関連の神経疾患をより早期に診断できるようにすることができる。光の１つまたは複数の症状を悪化させる波長の十分な強度が、１つまたは複数の筋肉運動関連の神経疾患に罹患し易い患者に施されたとき、患者は、少なくとも１つの筋肉運動関連の神経疾患の症状を示す可能性があり、それによって、そうでなければ症状がない患者における筋肉運動関連の神経疾患を診断できるようにすることができる。
【００１３】
診断する目的で、たとえば、患者が病気にかかり易い、または少なくとも１つの筋肉運動関連の神経疾患を患っていると考えられる場合、その患者に少なくとも１つの筋肉運動
関連の神経疾患の症状を現させる１つまたは複数の波長を放出するように、発光装置が構成される実施形態では、診断装置の光源は、症状を強める波長を打ち消さない光の波長とともに、光の１つまたは複数の症状を強める波長だけからなる光、またはそれらからなる光さえ放出するように構成することができる。そのような診断装置は、少なくとも１つの筋肉運動関連の神経疾患を癒す力がある光の波長をまったく放出してはいけない、少なくとも１つの筋肉運動関連の神経疾患を癒す力がある光の波長を実質的に放出してはいけない、あるいは、少なくとも１つの筋肉運動関連の神経疾患を癒す力がある光のいずれかの波長の環境より低い量でさえ、実質的に放出してはいけない。
【００１４】
本発明の様々な態様の、さらにまた本発明の他の態様の他の特徴および利点は、次の記述、添付図面および添付の請求項を検討すると、当業者に明らかになるはずである。
【図面の簡単な説明】
【００１５】
【図１】少なくとも１つの筋肉運動関連の神経疾患を患っている患者に治療効果をもたらす少なくとも１つの波長の光を供給するように、発光装置が構成される、本発明による発光装置の実施形態を表す図である。
【図２Ａ】異なる色または帯域幅の発光要素が異なって構成される光源を例示する図である。
【図２Ｂ】異なる色または帯域幅の発光要素が異なって構成される光源を例示する図である。
【図２Ｃ】異なる色または帯域幅の発光要素が異なって構成される光源を例示する図である。
【図３】多色光を放出する光源を含む発光装置の実施形態を描く図である。
【図４】患者がそれに晒される１つまたは複数の波長の光の量を制御するために使用することができるフィルタの実施形態を例示する図である。
【図５】患者がそれに晒される１つまたは複数の波長の光の量を制御するために使用することができるフィルタの実施形態を例示する図である。
【図６】患者がそれに晒される１つまたは複数の波長の光の量を制御するために使用することができるフィルタの実施形態を例示する図である。
【発明を実施するための形態】
【００１６】
図１は、本発明の教示を組み込んだ発光装置１０の概略図を提示する。大まかに言えば、本発明の発光装置１０は、光源３０と、光源３０に付随する１つまたは複数のコントロールとを含む。光源３０は、１つまたは複数の発光要素３２を含むことができ、そのそれぞれが、当技術分野で知られている、いずれもの適切なタイプの発光デバイス（たとえば、発光ダイオード（ＬＥＤ）、蛍光ランプ、冷陰極蛍光ランプ（ＣＣＦＬ：cold cathode
fluorescent lamp）など）を含むことができる。集団で、光源３０の発光要素３２は、
１つまたは複数の所望の波長の光を放出するように構成することができ、それぞれの波長が、環境より高い強度または光子密度である。
【００１７】
様々な実施形態では、発光装置１０の光源３０は、１つまたは複数の筋肉運動関連の神経疾患に対処するように調整された光の１つまたは複数の波長を、環境より高いレベルまたは強度、光子密度または放射照度で放出するように構成される。いくつかの実施形態では、光源３０によって放出される光は、筋肉運動関連の神経疾患の１つまたは複数の第１期の症状に対処するように調整することができる。また、光源３０によって放出される光は、筋肉運動関連の神経疾患の１つまたは複数の第２期の症状（たとえば、不安、鬱病、不眠症、過眠症など）に対処するように調整することができる。さらに、光源３０によって放出される光は、筋肉運動関連の神経疾患の１つまたは複数の第１期の、または第２期の症状を悪化させることができる光の波長を除外する、または少なくとも十分でないレベルまたは強度で含むように調整することができる。いくつかの実施形態では、十分でない
レベルまたは強度は、光の症状を悪化させる波長の環境レベルまたは強度より低いレベルまたは強度、または環境レベルまたは強度とすることができる。他の実施形態では、光の症状を悪化させる波長の環境レベルまたは強度より高いレベルまたは強度でさえ、筋肉運動関連の神経疾患の症状を悪化させるのに十分でない可能性がある、たとえば、光の症状を悪化させる波長が、光放出装置から放出される全光、または患者がそれに晒される光のわずかな部分（たとえば、全強度の３分の１またはそれより低いなど）だけ占めているときである。
【００１８】
参考として、光の様々な波長のレベルは、本開示のために、そのレベルが、標準の屋内照明中に存在する光の同じ波長の同じレベルを超えるとき、「環境より高い」と見なす。逆に、本開示のために、光の様々な波長のレベルは、そのレベルが、標準の屋内照明中に存在する光の同じ波長の同じレベルより低いとき、「環境より低い」と見なす。標準の屋内照明は、一般に、いわゆる「白色光」であり、より正確には、強度が５０ルクス〜５００ルクスである「多色光」として言及される。用語「環境（ambient）」は、光の１つま
たは複数の波長のレベルの文脈で使用するとき、１つの環境強度（たとえば、５０ルクス、５００ルクスおよび５０ルクス〜５００ルクスの間の強度など）で特定のタイプの多色光中に存在する光の様々な波長のレベル、２つ以上の環境強度で１つまたは複数のタイプの多色光中に存在する光の様々な波長の平均レベル、あるいは１つまたは複数の源からの多色光の環境強度の範囲の上側端部と下側端部とにおける１つまたは複数の波長の上側および下側レベルを指すことができる。
【００１９】
約５０ルクスで、標準屋内照明（白熱灯および／または蛍光灯）は、３．７０×１０１３光子／ｃｍ２／ｓの全体的な光子密度および１３．２μＷ／ｃｍ２（または１．３２×１０−５Ｗ／ｃｍ２）の全体的な放射照度を有する。約５０ルクスの標準屋内照明のスペクトルの青色〜緑色（たとえば、４６０ｎｍ〜５７０ｎｍなど）の部分は、１．３５×１０１３光子／ｃｍ２／ｓの光子密度および５．１μＷ／ｃｍ２の放射照度を有する。これらの値、さらにまた約５０ルクスの強度を有する標準屋内照明中の青色〜緑色のより狭い波長範囲の光子密度および放射照度は、次に表中に含まれている。
【００２０】
【表１】
0006336652.tif 000002
【００２１】
約５０ルクスの標準屋内照明のスペクトルのアンバー色〜赤色（たとえば、５７０ｎｍ〜６４０ｎｍなど）の部分は、約２４ルクスの強度、２．０４×１０１３光子／ｃｍ２／ｓの光子密度および６．７μＷ／ｃｍ２の放射照度を有する。約５０ルクスである標準屋内照明中のアンバー色〜赤色の光の放射照度は、約５０ルクスである標準屋内照明の青色〜緑色の「有効」スペクトルの放射照度を超える。
【００２２】
約５００ルクスでは、標準屋内照明の全体的な放射照度は、３．６９×１０１４光子／ｃｍ２／ｓであり、標準屋内照明の全体的な放射照度は、１３３．５μＷ／ｃｍ２である。約５００ルクスでは、標準屋内照明のスペクトルの青色〜緑色の部分は、１．５３×１０１４光子／ｃｍ２／ｓの光子密度および５８．４μＷ／ｃｍ２の放射照度を有する。これらの値、さらにまた約５００ルクスの強度を有する標準屋内照明中の青色〜緑色のより狭い波長範囲の光子密度および放射照度は、次に表中に含まれる。
【００２３】
【表２】
0006336652.tif 000003
【００２４】
約５００ルクスの標準屋内照明のスペクトルのアンバー色〜赤色に部分は、約２２５ルクスの強度、１．８５×１０１４光子／ｃｍ２／ｓの光子密度および６０．４μＷ／ｃｍ２の放射照度を有する。約５００ルクスでの標準屋内照明中のアンバー色〜赤色の光の放射照度は、約５００ルクスでの標準屋内照明の青色〜緑色の「有効」スペクトルの放射照度を超える。
【００２５】
前述事項に基づき、「環境」が、約５０ルクスの多色光中の光の１つまたは複数の帯域幅のレベルと、約５００ルクスの多色光中の光の同じ帯域幅（複数可）のレベルとの平均を含むとき、表１および２で述べた帯域幅の環境レベルは、表３で識別される標準屋内照明に関する環境値を含むことができる。
【００２６】
【表３】
0006336652.tif 000004
【００２７】
標準屋内照明の環境のスペクトルのアンバー色〜赤色の部分は、約１２５ルクスの強度、１．０３×１０１４光子／ｃｍ２／ｓの光子密度および３３．６μＷ／ｃｍ２の放射照
度を有する。平均強度の標準屋内照明中でのアンバー色〜赤色の光の放射照度は、平均強度での標準屋内照明の青色〜緑色の「有効」スペクトルの放射照度を超える。
【００２８】
平均の観点から「環境」を定義することに対する代替として、「環境」光は、強度、光子密度および／または放射照度、またはエネルギーの所定の範囲内の多色光を、そのような範囲内の多色光の様々な帯域幅内の所定のレベルの光とともに、含むことができる。光の様々な波長のレベルは、そのレベルが、所定の環境範囲中の光の同じ波長の同じレベルを超えるとき、「環境より高い」と見なすことができる。逆に、光の様々な波長のレベルは、そのレベルが、その所定の環境範囲中に存在する光の同じ波長の同じレベルより低いとき、「環境より低い」と見なすことができる。本開示のために、「環境」レベルの下側端部は、約５０ルクスの多色光中に存在する各波長範囲の所定のレベルを含むことができ、一方、「環境」レベルの上側端部は、約５００ルクスの多色光中に存在する様々な波長範囲の所定のレベルを含む。環境のこの定義によれば、環境より低いレベルは、約５０ルクスより低いレベルを含むことになるはずであり、一方、環境より高いレベルは、約５００ルクスより高いレベルを含むことになるはずである。
【００２９】
基準点として、白熱灯の屋内照明は、約５０ルクス〜約５００ルクスの全体的な環境強度を有し、いくらかの緑色光とともに、光のアンバー色および赤色の波長から主として構成される。緑色光は、白熱灯の屋内照明から出力されるスペクトルのわずかな部分だけを作り上げる。したがって、白熱灯の屋内照明中に存在する緑色の波長の強度は、２００ルクスより著しく低い。蛍光灯の屋内照明は、水銀の特徴的な性質を有し、３つの強度ピークを備える；つまり、第１のピークは、藍色〜濃い青色の範囲（４３５ｎｍ〜４３６ｎｍ）中に存在し、第２のピークは、緑色〜黄色の範囲（５４０ｎｍ〜５６０ｎｍ）中に存在し、そして第３のピークは、５８０ｎｍ〜６４０ｎｍの赤色波長に存在する。白熱灯の屋内照明と同様に、蛍光灯の屋内照明の強度は、単に約５０ルクス〜約５００ルクスである。そのような光の濃い青色および緑色〜黄色のピークは、もちろん、蛍光灯の屋内照明から出力される光の全体的な強度ほど強くない。
【００３０】
環境レベルに対するそのレベルまたは強度の項で光を特徴付けることに対するオプションとして、筋肉運動関連の神経疾患の診断または治療と関連して患者に施される光（または、いずれかの他の目的のために）は、ある定まった波長、帯域幅および／または強度ピークの相対的な割合または比の項で特徴付けることができる。限定せずに、光源から放出される光が特定の効果を有するとき、その効果に関与する光の波長（複数可）の強度または放射照度は、その光源から放出される全体の光の一定の割合または比を占めることができる（たとえば、３分の１より多く、半分より多く、３分の２より多く、９５％またはそれより多くなど）。次の表は、５個の利用できる光源（ＢＲＩＴＥ  ＬＩＴＥ  ６、ＬＩＴＥＢＯＯＫ  ＥＬＩＴＥ、ＣＲＩ  ＬＩＴＥ、ＢＲＩＴＥ  ＬＩＴＥ  ３およびＮＯＲＴＨＳＴＡＲＴ）の非赤色可視光に対する赤色可視光の比と、本開示の教示を組み込むように構成されている２つの光源（ＳＰＥＣＴＲＡＭＡＸ）についてのその比を比較したものである。
【００３１】
【表４】
0006336652.tif 000005
【００３２】
表４からのデータは、第１のＳＰＥＣＴＲＡＭＡＸサンプルから放出された光の可視全強度すべてのデータを示し、そのサンプルは、筋肉運動関連の神経疾患に対して治療効果をもたらし、放出される赤色の光の量は、放出される可視光の他の波長すべての量のたった１１．６％であり、放出される赤色の光のレベルは、放出される青色〜緑色の光のレベルの４０％だけである。また、第２のＳＰＥＣＴＲＡＭＡＸは、筋肉運動関連の神経疾患に対して治療効果をもたらし、可視光の他の波長すべてに対する３３％の割合で赤色の光を放出し、青色〜緑色の光に対する９４％の割合で赤色の光を放出する。光源から放出される赤色の光の量が、その光源から放出される可視光の他の波長すべての量の多くても３３%であるとき、および／または光源から放出される赤色の光の量が、その光源から放出
される青色〜緑色の光の量の多くても９５%であるとき、その光源は、筋肉運動関連の神
経疾患を治療するのに役に立つことができる。
【００３３】
青色波長（たとえば、最小波長が４６０ｎｍなど）から青色〜緑色の波長（たとえば、最小波長が４９０ｎｍなど）から緑色波長（たとえば、最大波長が５７０ｎｍなど）の範囲内の光は、環境より高いレベルで患者の眼に投与されたとき（すなわち、眼に関して）、筋肉運動関連の神経疾患、ならびにそれらの第１期の、および第２期の症状の両方を含む、症状に対して陽性の、または有益な効果を有する。たとえば、「ＭＥＴＨＯＤＳ  ＦＯＲ  ＰＲＥＶＥＮＴＩＮＧ  ＡＮＤ  ＴＲＥＡＴＩＮＧ  ＭＯＴＯＲ−ＲＥＬＡＴＥＤ
ＮＥＵＲＯＬＯＧＩＣＡＬ  ＣＯＮＤＩＴＩＯＮＳ」と題する、２０１２年１２月３日出願の国際特許出願ＰＣＴ／ＩＢ２０１２／００２５５３号（「５５３ＰＣＴ出願」と称する）を参照されたい、そしてその全体の開示は、本明細書に援用する。波長の青色〜緑色から緑色の範囲内のいずれかの場所に中心を置く環境より高い強度ピークを含む光の投与は、筋肉運動関連の神経疾患を患っている患者のためになるはずであると考えられる。
【００３４】
環境より高いレベルで光のこれら波長のいずれかを眼に関して投与することは、患者の身体中のドーパミン作動性の応答を活性化することができ、それによって、いくつかの症例で、１つまたは複数のモノアミン（たとえば、メラトニン、セロトニン、ドーパミン、派生物および／または前述事項の類似物など）のレベルまたは活性を変化させることができ、患者の脳中の化学物質のバランスを修復することができ（たとえば、患者によるメラトニン生成を適度にさせる（たとえば、減少させるなど）、患者によるドーパミンおよび
／またはセロトニンの生成を適度にさせる（たとえば、増加させるなど）など）、修復および／または適度にさせることの程度が、患者に投与される光の波長（複数可）および／またはレベル（複数可）によって決まる。本発明の教示を組み込んだ装置を用いる光治療は、ドーパミン作動性の応答を活性化し、それによって、患者の脳中の１つまたは複数のモノアミン（たとえば、メラトニン、セロトニン、ドーパミンなど）のレベルに関しバランスを修復させる、またはもたらすことができる。簡単化のために、用語「メラトニン」、「セロトニン」および「ドーパミン」は、本明細書で使用する際、それぞれ、メラトニンおよびメラトニンの類似物または派生物、セロトニンおよびセロトニンの類似物、およびドーパミンおよびドーパミンの類似物または派生物を含む。患者の身体内に在る１つまたは複数のモノアミンの量またはレベルは、筋肉運動関連の神経疾患に対処するように調節することができる。患者の身体中のモノアミンのレベルの調節は、必ずしもこれらに限定されないが一日の特定の時間に（たとえば、夕方近くに、夕方になど）メラトニンまたはセロトニンのレベルを調節するステップまたはバランスさせるステップを含む。
【００３５】
アンバー色波長（たとえば、５７０ｎｍより長い波長など）〜赤色波長（たとえば、６５０ｎｍ、７５０ｎｍなどの最大波長）の範囲内の光は、十分なレベルで患者に眼に関して投与されたとき、患者が患っている可能性があるいずれかの筋肉運動関連の神経疾患、あるいはいずれかのそのような筋肉運動関連の神経疾患の症状の少なくとも１つを悪化させることができる。たとえば、「５５３ＰＣＴ出願」を参照されたい。具体的には、光のアンバー色、オレンジ色および赤色の波長に晒すことによって、筋肉運動関連の神経疾患にかかり易い患者および／または１つまたは複数の筋肉運動関連の神経疾患を患っているが、まだはっきりとその症状を現していない患者に、筋肉運動関連の神経疾患の１つまたは複数の症状を現すようにさせることができる。さらに、患者の眼が、十分なレベルで、光のアンバー色〜赤色の波長（たとえば、波長が５７０ｎｍより長く６５０ｎｍまでの光、波長が５７０ｎｍより長く７５０ｎｍまでの光など）に晒されたとき、患者の身体によるドーパミン作動性の活動を一時的に抑制することができる（たとえば、患者によるメラトニン生成を高めることができる、患者によるドーパミン生成を抑制することができる、など）。光の症状を悪化させる波長の環境レベルまたは強度より高いレベルまたは強度は、筋肉運動関連の神経疾患の症状を悪化させるのに十分である可能性がある。いくつかの実施形態では、十分なレベルまたは強度は、光の症状を悪化させる波長の環境レベルまたは強度より低いレベルまたは強度、または環境レベルまたは強度とすることができる、たとえば、光の症状を悪化させる波長が、光放出装置から放出される全光、または患者がそれに晒される光の十分な量（たとえば、その３分の１またはそれより多く、その大部分など）を占めるときである。
【００３６】
可視光および赤外放射を含む、６５０ｎｍより長い電磁放射の波長は、ミトコンドリアの修復を推進する、または活性化することができる。眼では、ミトコンドリアの修復を推進する、または活性化することによって、損傷した網膜細胞の修復を促進することができ、その損傷は、筋肉運動関連の神経疾患に少なくとも部分的に関与する可能性があり、したがって、筋肉運動関連の神経疾患の少なくとも部分的な回避および／または逆転に少なくとも部分的に関与する可能性がある。黒質中では、ミトコンドリアの修復の推進または活性化によって、筋肉運動関連の神経疾患に関与する損傷したニューロンの修復を、したがって筋肉運動関連の神経疾患の少なくとも部分的な逆転を促進することができる。
【００３７】
本明細書に先に示したように、発光装置１０の光源３０は、１つまたは複数の事前に定めた比較的狭い周波数帯幅または波長範囲の光を放出するように構成することができる。光源３０は、筋肉運動関連の神経疾患またはそのような疾患の少なくとも１つまたは複数の第１期の、および／または第２期の症状に対処するように構成することができる。
【００３８】
光源３０は、神経の反応または神経内分泌反応を患者に誘発させる光を放出するように
構成することができる。光源３０から放出される光は、１つまたは複数の筋肉運動関連の神経疾患またはその症状に対して治療効果を有することができる。本発明の発光装置１０は、ドーパミン作動性の応答を活性化させるように構成することができ、それによって、患者の身体中の１つまたは複数のモノアミンのレベルを適度にさせることができる（たとえば、患者によるメラトニン、セロトニンおよび／またはドーパミンの生成に影響を及ぼすことによってなど）。
【００３９】
あるモノアミンのレベルの低下は、これらモノアミンの生成を減少させるようにする患者の身体の活性化によって、またはいずれもの他の方法で生じる可能性がある。同様に、他のモノアミンのレベルの上昇は、これらモノアミンの生成を増加させるようにする患者の身体の活性化によって生じる可能性がある。たとえば、光のある波長は、ドーパミン、セロトニンなどを活性化させることができ、一方メラトニンの生成を抑制する、または減少させることができる。したがって、いくつかの実施形態では、光放出装置１０の光源３０は、患者のモノアミンのレベルについて所望の変化を生じさせる光を放出するように構成することができる。
【００４０】
いくつかの実施形態では、光源３０は、筋肉運動関連の神経疾患またはその症状のいずれかに対して積極的に対処する光を環境レベルより高いレベルで放出するように構成することができる（たとえば、少なくとも１つの強度ピークが、両方の数値を含めて４６０ｎｍ〜５７０ｎｍの範囲に、両方の数値を含めて４９０ｎｍ〜５７０ｎｍの範囲に、両方の数値を含めて５２０ｎｍ〜５７０ｎｍの範囲になどに中心を置いている光の少なくとも１つの帯域幅）。所望の治療効果は、少なくとも１つの強度ピークが、青色〜緑色の光（たとえば、４６０ｎｍから５７０ｎｍに至るまで）、青色〜緑色から緑色の光（たとえば、４９０ｎｍから５７０ｎｍに至るまで）または緑色光（たとえば、５２０ｎｍから５７０ｎｍに至るまで）の範囲中に中心を置く光の少なくとも１つの帯域幅に、環境より高いレベルで、眼に関して患者を晒すことによって達成することができる。少なくとも１つの強度ピークは、患者がそれに晒される可視光のもっとも強烈なピークを含むことができる。別のオプションとして、患者がそれに晒される光の大部分は、青色〜緑色、青緑色〜緑色または緑色の光の範囲の１つまたは複数内とすることができ、したがって可視光のこれらの色の１つまたは複数によって「高められる」と言うことができる。非限定の実施例として、光治療装置は、ドーパミン作動応答を刺激するように調整される光に患者を晒すように構成することができ、その光は、患者の身体内で、１つまたは複数のモノアミンのレベルを変化させる、またはその比をバランスさせることができる（たとえば、メラトニンのレベルの低下、ドーパミンおよび／またはセロトニンのレベルの上昇など）。
【００４１】
また、光源３０のそのような実施形態は、光を環境レベルで、光を環境レベルより低いレベルで、または治療範囲外の実質的に光でないものを放出するように構成することができる。より具体的な実施形態では、光源３０は、筋肉運動関連の神経疾患またはその症状の１つまたは複数を悪化させる可能性がある光を環境レベルまたは環境レベルより低いレベルで放出するように構成することができる。さらにより具体的な実施形態では、光源３０は、患者の身体によるドーパミン作用を抑制することができる光を環境レベルまたは環境レベルより低いレベルで放出するように構成することができる。さらにより具体的には、光源３０は、患者の身体内で、メラトニンのレベルを上昇させる、またはドーパミンまたはセロトニンのレベルを低下させることができる光を環境レベルまたは環境レベルより低いレベルで放出するように構成することができる。強度ピークが５７０ｎｍから６５０ｎｍまで、５７０ｎｍから７５０ｎｍまで、などに中心を置いている光の帯域幅の環境線量より高い線量は、筋肉運動関連の神経疾患またはその症状を悪化させる、およびドーパミン作用を抑制することが知られており、メラトニンのレベルを上昇させ、ドーパミンおよびセロトニンのレベルを低下させると考えられている。
【００４２】
別の態様では、発光装置１０は、患者が被る１つまたは複数の筋肉運動関連の神経疾患またはそれらの症状を悪化させるように構成される光源３０を含むことができる。限定することなく、光源３０は、患者によるドーパミン作動性の応答を一時的に抑制するように構成することができる（たとえば、患者の身体内のメラトニン作動性の活性を高める、患者の身体内のドーパミンのレベルを低下させる、ドーパミン作動性の活性を低下させるなど）。１つまたは複数の筋肉運動関連の神経疾患は、ピークが、５７０ｎｍから７５０ｎｍに至るまでの範囲中に中心を置く光の少なくとも１つの帯域幅に、患者を眼に関して晒すことによって悪化させることができる。また、この効果は、光の少なくとも１つの帯域幅が５７０ｎｍ〜７５０ｎｍの範囲中でピークに達する光を、その光が４６０ｎｍ〜５７０ｎｍの範囲から隔離される、またはそれより高い光の比を生成するとき、環境レベルで、または環境より低いレベルで用いて達成することができる。いくつかの実施形態では、そのような光源３０は、筋肉運動関連の神経疾患またはそれらの症状のいずれかを治癒することができる光を、環境より高いレベルで放出しないように構成することができる。他の実施形態では、そのような光源３０は、５７０ｎｍ〜７５０ｎｍの光の比が４６０ｎｍ〜５７０ｎｍの光の比より大きい場合、光を放出するように構成することができる。これらの概念のいずれも、患者によるメラトニン生成を活性化し、したがって患者の身体中のメラトニン作動性の応答を高めることに役立つことができる。
【００４３】
また別の実施例では、光源３０は、患者の身体内の１つまたは複数のモノアミンのレベルを高めることができる（一方、患者の身体中の１つまたは複数の他のモノアミンのレベルを恐らく低下させる）光に、あるいは、患者の身体内の１つまたは複数のモノアミンのレベルを低下させることができる（一方、患者の身体中の１つまたは複数の他のモノアミンのレベルを恐らく高める、またはバランスさせる）光に選択的に患者を晒すことによって、患者の身体内の１つまたは複数のモノアミンのレベルを適度にさせるように構成することができる。
【００４４】
発光装置１０は、１つまたは複数の筋肉運動関連の神経疾患を早期に検出できるようにする光源３０を含むことができる。上記に述べたように、光のアンバー色〜赤色の波長（たとえば、５７０ｎｍ〜６５０ｎｍ、５７０ｎｍ〜７５０ｎｍなど）に患者を眼に関して晒すことによって、筋肉運動関連の神経疾患にかかり易い、または筋肉運動関連の神経疾患を患っているが、その症状をまだはっきりと現していない患者に、その疾患の症状を現すようにさせることができる。環境より高いレベルでそのような光を放出することによって、光源３０は、そのような患者中の筋肉運動関連の神経疾患の１つまたは複数の症状を出て来るようにさせることができる。したがって、本発明の発光装置１０は、患者がかかり易い筋肉運動関連の神経疾患、または患者が、既に患っている、そうでなければ、はっきりと症状を現していない筋肉運動関連の神経疾患を早期に診断することができる光源３０を含むことができる。
【００４５】
本発明の教示を組み込んでいる発光装置１０の光源３０は、ミトコンドリアの修復を活性化することができる光の１つまたは複数の波長を放出するように構成することができる。網膜の修復を活性化することによって、本発明の発光装置１０によって放出される光の１つまたは複数の波長は、損傷した網膜細胞および／または損傷したニューロンを修復することができると現在考えられている。損傷した網膜細胞の修復は、筋肉運動関連の神経疾患を少なくとも部分的に防止する、および／または逆転させることができると現在考えられている。また、黒質のニューロンなど、損傷したニューロンの修復は、筋肉運動関連の神経疾患を少なくとも部分的に逆転させることができると現在考えられている。いくつかの実施形態では、そのような光源３０は、波長が６５０ｎｍより長い光を放出するように構成することができ、その光は、濃い赤色の（可視）光およびいくらかの赤外放射（たとえば、赤外放射の波長が、約１４００ｎｍ以下、約９００ｎｍ以下など）を含むことができる。
【００４６】
本発明の発光装置１０は、単一の結果（たとえば、前述の機能の１つなど）をもたらすことになる光だけを放出する光源３０を含むことができる。あるいは、光源３０は、ユーザが複数の機能（たとえば、上記で述べた機能のいずれかの組み合わせなど）から所望の機能を選択できるようにする選択性を用いて構成することができる。
【００４７】
発光装置１０が、単一の結果をもたらすように構成される実施形態では、光源３０は、所望の結果を達成することができる光の１つまたは複数の波長を、十分なレベルで放出するように構成することができる。光のこれらの波長は、本明細書では「望ましい波長」と称する。さらに、光源３０は、所望の結果を打ち消す恐れがある光のいずれかの波長を、環境より高いレベルで放出しないように構成することができ（すなわち、光源３０は、そのような波長を環境レベルで、またはそのような波長を環境より低いレベルで放出してもよい）、光のその波長は、本明細書では「望ましくない波長」と称する。いくつかの実施形態では、光源３０によって環境より高いレベルで放出することができる光の波長だけが、望ましい波長である。他の実施形態では、光源３０は、光の望ましい波長だけを放出するように構成することができる。
【００４８】
光源３０の発光特性は、光源３０の発光要素（複数可）３２によって明確に定めることができる。光の１つまたは複数の比較的狭い帯域幅を放出する発光要素３２の様々な実施形態は、本発明の教示を組み込んだ発光装置の光源３０中に使用することができる。本発明の範囲を限定せずに、発光要素３２は、発光ダイオード（ＬＥＤ）を含むことができる。ＬＥＤは、様々な望ましい波長を含む、光の所定の狭い帯域幅を放出するように構成することができる。また、ＬＥＤは、光の望ましくない波長を放出しないように、光の望ましくない波長を環境より低いレベルで放出するように、または光の望ましくない波長を、そのような波長の環境レベルを超えないレベルで放出するように構成することができる。
【００４９】
あるいは、発光要素（複数可）３２は、光の望ましい波長を、１つまたは複数の他の波長の光とともに放出することができる。そのような発光要素３２は、本技術分野では「多色光源（polychromatic light source）」と称する。発光要素（複数可）３２によって放出される光の他の波長は、望ましくない波長を含むことができる、またはそれら波長は、光の無害の、および／または他の有用な波長から構成することができる。発光要素（複数可）３２が、望ましくないほど高いレベルで、１つまたは複数の望ましくない波長の光を発生する（たとえば、そのような波長のいずれかの放出、そのような波長の環境レベル、そのような波長の環境より高いレベルなど）実施形態では、光源３０は、発光装置１０からの１つまたは複数の望ましくない波長の放出を減衰させるために、１つまたは複数のフィルタ３４を含むことができる。本技術分野で知られているように、フィルタ３４は、それらが減衰させる光の波長に基づき、選択することができる。
【００５０】
また、１つまたは複数のフィルタ３４は、光の１つまたは複数の狭帯域幅を発生する光源３０とともに使用することができる。
【００５１】
本発明の教示を組み込んだ発光装置１０のいくつかの実施形態は、複数の機能（たとえば、上記で述べた機能のいずれかの組み合わせなど）を果たすために使用されるように構成される。そのような発光装置１０の光源３０は、ユーザが複数の機能から所望の機能を選択できるように構成することができる。
【００５２】
非限定の実施例として、発光装置１０は、図２Ａに示すように、発光要素３２の２つ以上のセット３３ａ、３３ｂなどを備える光源３０を含むことができる。各セット３３ａ、３３ｂなどは、あらゆる他のセット３３ａ、３３ｂなどの発光要素３２ａ、３２ｂなど（集合的に「発光要素３２」と称する）と異なる機能を果たす発光要素３２ａ、３２ｂなど
を含むことができる。例示する実施形態では、発光要素３２は、光源３０の放射面３１の上にアレイで配置することができ、異なるセット３３ａ、３３ｂなどからの発光要素３２ａ、３２ｂなどが、それぞれ、散在する、または互いに混じり合っている。あるいは、図２Ｂに例示するように、発光要素３２は、交互に並ぶ行または列で配置することができ、各行または列が、単一タイプの発光要素３２ａ、３２ｂなどからなる、または主としてそれらからなる。別の代替実施形態として、各異なるタイプの発光要素３２ａ、３２ｂなどは、図２Ｃに描くように、一緒にまとめることができる。
【００５３】
いくつかの実施形態では、発光要素３２ａの１つのセット３３ａは、筋肉運動関連の神経疾患またはそのような疾患の１つまたは複数の症状に対処するように構成することができる。発光要素３２ｂの別のセット３３ｂは、筋肉運動関連の神経疾患の診断を容易にするように構成することができる。発光要素３２ｃの別の任意選択のセット３３ｃは、筋肉運動関連の神経疾患を引き起こす可能性がある網膜細胞および／またはニューロンに対する細胞損傷（たとえば、ミトコンドリアの損傷など）を修復するように構成することができる。具体的な実施形態では、光源３０は、筋肉運動関連の神経疾患に対処することになる光（たとえば、４９０ｎｍ〜５７０ｎｍ、５２０ｎｍ〜５７０ｎｍなど）、および細胞の損傷を修復することになる光（たとえば、６５０ｎｍまたはそれより高いなど）を十分なレベルで放出し、一方では、筋肉運動関連の神経疾患の症状を悪化させることになる光（たとえば、５７０ｎｍより高い、６５０ｎｍより低いなど）を十分でないレベルで放出するように構成することができる。
【００５４】
別の実施例として、発光装置１０は、患者の身体中の１つまたは複数のモノアミンのレベルを適度にさせるように構成することができる。そのような発光装置１０は、光源３０を含むことができ、光源３０は、患者の身体によるドーパミン作動性の応答を活性化することによってなどで（たとえば、メラトニンのレベルまたはメラトニン作動性の活性を低下させる（たとえば、患者の身体を活性化して、メラトニンの生成を抑制する、または遅らせる、および／またはセロトニンの生成を高めることによってなど）；ドーパミンのレベルを上昇させる（たとえば、患者の身体を活性化して、ドーパミンの生成を高めることによってなど）など）、筋肉運動関連の神経疾患またはその症状を治療することができる光を放出する発光要素３２ａの１つのセット３３ａと、筋肉運動関連の神経疾患またはその症状を悪化させることができる（たとえば、メラトニンのレベルまたはメラトニン作動性の活性を高めさせる、またはセロトニン作動性の活性を減少させるなど（たとえば、患者の身体を活性化して、より多くメラトニンを生成する、および／またはセロトニンを減少させることによってなど）；ドーパミンのレベルを低下させる（たとえば、患者の身体を活性化して、ドーパミン生成を停止させる、または減速させることによってなど）など）発光要素３２ｂの別のセット３３ｂとを備える。
【００５５】
光放出装置１０は、異なる機能を離散点で時間内に果たすことができる（たとえば、筋肉運動関連の神経疾患を診断する／筋肉運動関連の神経疾患またはその症状に対処する、神経反応を誘発する、神経内分泌反応を誘発する、モノアミンなど、ある定まった神経化学物質のレベルを上昇させる、または低下させるなど）。あるいは、発光装置１０による２つ以上の機能を実施する少なくともその部分は、同時に実行することができる（たとえば、筋肉運動関連の神経疾患に対処する／細胞の修復を推進するなど）。
【００５６】
異なる機能が、そのような光源３０によって実施されることになる仕方は、本技術分野で知られているタイプのマイクロコントローラなど、処理要素３６を用いて制御することができる。光源３０の処理要素３６は、明確に定められた機能のセットを果たすように、事前にプログラムすることができる。いくつかの実施形態では、明確に定められた機能のパラメータ（たとえば、動作の持続期間；強度、光子密度および／または放射照度など）は、処理要素３６のプログラミングによって定めることができる。他の実施形態では、処
理要素３６は、１つまたは複数のパラメータ（たとえば、動作の持続期間；強度、光子密度および／または放射照度；放出される光の波長（複数可）など）を用いてプログラムすることができ、そのパラメータは、光が光源３０によって放出される仕方、したがって発光装置１０によって果たされることになる機能を制御する。いくつかの実施形態では、処理要素３６および光源３０は、本発明の発光装置１０が、いくつかの異なる要因に基づき、異なるスペクトルを放出できるように構成することができる。非限定の実施例として、発光装置１０の処理要素３６および光源３０は、発光装置１０に、一日の異なる時間において光の異なる波長の光を異なる強度で放出させるように構成することができる。そのような発光装置１０の具体的な実施形態は、一日の異なる時間における自然光の影響を打ち消すように構成することができる（たとえば、時刻が午後から夕方に進むにつれて、強度を次第により大きくして青色〜緑色の、および／または緑色の光を発生し放出するように；時刻が午後から夕方に進むにつれて、強度を徐々により小さくしてアンバー色、オレンジ色および赤色の光を発生し放出するようになど）。別の実施例として、発光装置１０の処理要素３６および光源３０は、発光装置１０に、患者が被っている特定の症状（複数可）および／または各症状の重症度に基づき、異なるスペクトルを放出させるように構成することができる。
【００５７】
ここで図３を参照すると、多色光を発生する光源３０を含む発光装置１０の実施形態が、描かれている。いくつかの実施形態では、多色光は、１つまたは複数の発光要素３２によって放出される、いわゆる「白色」光を含むことができる。他の実施形態では、複数の異なるように構成される発光要素３２によって同時に放出される複数の異なる色の光は、混合されて多色光を形成することができる。とにかく、光源３０によって放出される多色光は、複数の所望の機能を果たすことになる様々な波長および／または帯域幅を含む。
【００５８】
当業者が理解するように、多色光の具体的な特性（たとえば、多色光中に含まれる光の波長、光のある色の相対的な強度ピークが中心を置いている波長など）は、その多色光の源（複数可）（たとえば、発光要素３２など）によって決まる。様々な源からの多色光のこれらの具体的な特性は、多色光の「識別特性（signature）」と称することがある。
【００５９】
発光装置１０の光源３０によって放出される多色光の識別特性は、発光装置１０が果たすことが可能である１つまたは複数の機能を少なくとも部分的に定めることができる。ある実施例として、青色の、青色〜緑色の、および／または緑色の光のピークを有する多色光（すなわち、この実施例で望ましい波長）を放出する光源３０を含む発光装置１０は、筋肉運動関連の神経疾患に対処するのに、筋肉運動関連の神経疾患またはその症状に対処するのに、あるいは患者によるドーパミン作動性の応答を活性化するのに有用になることができ、それによって、患者の身体内の１つまたは複数のモノアミンのレベルを変化させることができる。これは、具体的には、１つまたは複数の望ましい波長のピークの大きさが、望ましい波長（複数可）（たとえば、青色の、青色〜緑色の、および／または緑色の光）の有効性を打ち消す恐れがある光のいずれもの望ましくない波長または色（たとえば、アンバー色、オレンジ色または赤色の光）のピークの大きさを超える場合、および、光の望ましい波長を環境より高いレベルで提供し、さらにまた光の望ましくない波長を環境レベルで、または環境より低いレベルで提供するように、望ましい、および望ましくない波長のピークの相対的な大きさによって多色光を供給できるようになる場合は特に、当てはまる。いくつかの実施形態では、本発明の発光装置１０の光源３０は、フィルタリングされていない多色光を放出するように構成することができる。
【００６０】
また、多色光を放出する発光要素３２を備える光源３０によって果たされることになる１つまたは複数の機能は、光源３０によって放出される光の波長（複数可）および／または帯域幅（複数可）を制御することによって明確に定められる。したがって、本発明の発光装置１０の光源３０は、１つまたは複数のフィルタ３４を含むことができ、フィルタ３
４は、所望の機能（複数可）を妨げることができる光のいずれかの波長（複数可）を少なくとも部分的に遮断する、または減衰させ、さらにまた、光のある望ましい波長および量（たとえば、強度、放射照度など）を治療レベルで透過させることを可能にし、それによって光源３０からの光のそのような望ましい波長の光は透過する。異なるフィルタ３４を使用すると、発光装置１０が異なる機能を果たすことがすることができる。
【００６１】
図１を再度参照すると、本発明の発光装置１０は、光源３０に加えて、ハウジング２０を含むことができる。ハウジング２０は、光源３０を搭載する。さらに、ハウジング２０は、これらに限定されないが光源３０を動作させるためのコントロールおよび電源５０を含む、発光装置１０の１つまたは複数の他の構成要素を搭載することができる。また、本発明の発光装置１０は、この発光装置に所望の機能をもたらすことができる様々な他の特徴（たとえば、光透過レンズ、放出される光を拡散させるための特徴、放出される光を合焦させるための特徴、ハウジング２０を方向付けるための特徴など）のいずれも含むことができる。
【００６２】
本発明の教示を組み込んだ発光装置１０のハウジング２０は、いずれもの適切な構成を取ることができる。発光装置１０が、調節されている疾患（たとえば、研究施設中で、診療所でなど）に発光をもたらすように構成される、あるいは実質的に同じ場所で繰り返して使用されるように意図されている実施形態では、ハウジング２０は、比較的大きくすることができる（たとえば、比較的大きい光源３０を収容するためになど）。そのような発光装置１０は、そのサイズによって、可搬性に欠ける場合がある。したがって、そのような発光装置１０の電源５０は、発光装置１０が、本技術分野で知られているように、ＡＣ電力の下で動作できるようにする構成要素を含むことができる。
【００６３】
他の実施形態では、より可搬性がある発光装置１０が、望ましい場合がある。発光装置１０のハウジング２０は、少なくとも部分的に可搬性を発光装置１０に付与するように構成することができ、そしていくつかの実施形態では、ユーザの手でハウジングが保持されたとき、発光装置１０がその所望の機能（複数可）を果たすことができるようにする。様々な実施形態では、そのようなハウジング２０は、容易に可搬型とすることができ、輸送および／または保管の間、最小限のスペースを占め、発光装置１０が、様々な設定で、または様々な状況下で使用できるように構成することができる。可搬型の発光装置１０は、小さなハウジング２０を含むことに加えて、それに対応して小さな、軽量でさえある光源３０を含むことができる。いくつかの実施形態では、可搬型の発光装置１０の電源５０は、１つまたは複数のバッテリを含むことができ、発光装置１０に可搬性をさらに付与することができる。本発明による発光装置１０の可搬型の実施形態は、表面（たとえば、テーブルの天板、患者の膝など）上に位置付けるように、光治療を受けている患者が着用するように（たとえば、上から（たとえば、バイザー、帽子などのように）、下からおよび／または患者の眼の周辺のまわりで（たとえば、眼鏡などのように）患者の眼に光を導くように頭部に装着可能な、など）構成することができ、あるいはいずれもの他の適切な構成を取ることができる。
【００６４】
いくつかの実施形態では、発光装置１０は、処理要素（たとえば、マイクロプロセッサ、マイクロコントローラなど）および光を生じる光源３０を含むことができる。
【００６５】
使用の際、本発明の発光装置１０は、患者の眼に向けて光を導くように構成することができ、したがって眼の光治療を施すことができる。いくつかの実施形態では、患者の眼は、眼の光治療を施している間、閉じていることができる。他の実施形態では、患者は、眼の光治療を施しているとき、眼を開いていることができる。さらなる実施形態では、所望の眼の光治療は、患者の眼が開かれていようが、閉じられていようが、どちらにもかかわらず施すことができる。
【００６６】
ここで図４〜６を参照すると、フィルタを用いる光治療装置の様々な実施形態が例示されている。図４は、フィルタ電球７２などの標準光源の上に、光源７２を越えて放出される光の波長を制限するために位置付けられるように構成されるフィルタ７０の実施形態を例示する。図５は、フィルタ患者の眼が晒される光（たとえば、自然光、人工光など）の様々な波長の波長または量を制限するために、たとえばレンズまたは一対のレンズの形態で、患者の眼の上に配置されるように構成されるフィルタ８０の実施形態を示す。図６は、フィルタ患者がそれに晒される可能性がある光（たとえば、自然光、人工光など）の波長を制限するために、窓のスモーキングを含むフィルタ９０の実施形態を示す。
【００６７】
各フィルタ７０、８０、９０は、光のある定まった波長に対する、および／または光のある定まった波長のある定まった量に対する患者の露出を調整するように構成することができる。限定せずに、フィルタ７０、８０、９０は、患者を、光の１つまたは複数の治療する、診断する、または回復させる波長に晒すことができるように調整することができる。フィルタ７０、８０、９０は、本明細書で既に述べたように、患者が、光のいくつかの波長を、１つまたは複数の環境量より多い量で、および光の１つまたは複数の他の波長を、環境量または環境量より少ない量で晒されるように構成することができる。
【００６８】
より具体的な実施形態では、フィルタ７０、８０、９０は、波長が５７０ｎｍより高い、または少なくとも５７５ｎｍ〜６４０ｎｍの範囲にある可視光の量を、環境レベルより低いレベルまで低下させるために使用することができる。５７０ｎｍより高い波長を環境レベルより低いレベルに低下させるフィルタによって、４９０ｎｍから５７０ｎｍまでの、または５２０ｎｍから５７０ｎｍまでの１つまたは複数の波長の光の環境量または環境量より多い量が、それを通過することが可能なようにすることができる。いくつかの実施形態では、また、波長が５２０ｎｍより低い可視光は、濾波することができ、かつ眼に関する光治療を、５２０ｎｍ〜５７０ｎｍの１つまたは複数の波長の環境量または環境量より多い量に制限することができる。そのようなフィルタの非限定の実施例は、英国ハンプシャー州のＬＥＥ  Ｆｉｌｔｅｒｓ社から入手できるそれら、米国カリフォルニア州ロスアンジェルスのＧＡＭ  Ｐｒｏｄｕｃｔｓ、Ｉｎｃ．から入手できるそれら、および英国南ウェールズ、グウェント州トレデガー（Ｔｒｅｄｅｇａｒ）のＣｏｔｅｃｈ  Ｓｅｎｓｉｔｉｓｉｎｇ  Ｌｔｄ．から入手できるそれらを含む。
【００６９】
前述の記述が多くの具体的な事項を含んでいるが、これらは、本発明の、または添付の請求項のいずれもの範囲を限定するものとして解釈すべきでなく、１つまたは複数の添付の請求項の範囲内に含むことができる、いくつかの具体的な実施形態に関する情報を単に提供するものとして解釈すべきである。また、１つまたは複数の添付の請求項の範囲内に含まれる本発明の他の実施形態を考え出すことができる。したがって、各請求項の範囲は、その中で詳述される言葉、およびそれによって列挙される要素に法的に同等なものによってだけで限定される。本明細書に開示するように、請求項の趣旨および範囲内に含まれる、すべての組み合わせ、追加、削除および修正の実施形態は、それによって包含されることになる。
（項目１）
筋肉運動関連の神経疾患を患っている患者に使用するためのシステムであって、
筋肉運動関連の神経疾患を治療する波長において強度ピークを含む可視光を、少なくとも１つの第１の帯域幅の環境強度より強い強度で放出するための少なくとも１つの光源を含み、
前記少なくとも１つの光源から放出される光の大部分が、前記筋肉運動関連の神経疾患を治療する波長を含み、
前記筋肉運動関連の神経疾患を治療する前記波長は、５２０ｎｍ〜５７０ｎｍの範囲を含む、システム。
（項目２）
筋肉運動関連の神経疾患を患っている患者に使用するためのシステムであって、
筋肉運動関連の神経疾患を治療する波長において強度ピークを含む可視光を、少なくとも１つの第１の帯域幅の環境強度より強い強度で放出し、一方では可視光を少なくとも１つの第２の帯域幅の環境強度より弱い強度で放出するための少なくとも１つの光源を含み、
可視光の前記第２の帯域幅は、前記少なくとも１つの筋肉運動関連の神経疾患の少なくとも１つの症状を悪化させることが可能な少なくとも１つの波長において強度ピークを含み、
前記少なくとも１つの第２の帯域幅の前記強度は、前記少なくとも１つの筋肉運動関連の神経疾患の前記少なくとも１つの症状を悪化させるのに十分でない、システム。
（項目３）
前記少なくとも１つの第１の帯域幅は、可視光の青色〜緑色の波長および可視光の緑色
波長の少なくとも１つを含む、項目２に記載のシステム。
（項目４）
前記筋肉運動関連の神経疾患を治療する前記波長は、４９０ｎｍから５７０ｎｍまでである、項目１に記載のシステム。
（項目５）
前記光源は、前記筋肉運動関連の神経疾患を治療する前記波長外の光を放出するようには構成されない、項目１に記載のシステム。
（項目６）
前記少なくとも１つの光源は、
可視光の前記少なくとも１つの第１の帯域幅の前記強度ピークを発生する、少なくとも１つの光源と、
前記光源によって発生される、可視光の前記第１の帯域幅の外にある可視光の無関係な波長に対して患者の眼が露出されるのを制限するための少なくとも１つのフィルタとを含む、項目１または２に記載のシステム。
（項目７）
前記少なくとも１つのフィルタは、可視光の前記無関係な波長が通過する量を環境量または環境量より少ない量に制限する、項目６に記載のシステム。
（項目８）
前記少なくとも１つのフィルタは、可視光の前記無関係な波長が通過するのを実質的に妨げる、項目６に記載のシステム。
（項目９）
前記少なくとも１つのフィルタは、可視光の前記無関係な波長の強度が可視光の前記少なくとも１つの第１の帯域幅の強度より低くなるように、前記少なくとも１つの光源を越えて患者に放出される可視光の前記無関係な波長の前記強度を制限する、項目６に記載のシステム。
（項目１０）
前記少なくとも１つの光源は、前記少なくとも１つの筋肉運動関連の神経疾患の少なくとも１つの症状を悪化させることが可能な可視光の少なくとも１つの波長において強度ピークを有する可視光を放出し、
前記少なくとも１つのフィルタは、前記少なくとも１つの筋肉運動関連の神経疾患の少なくとも１つの症状を悪化させることが可能な前記少なくとも１つの波長において前記強度ピークの強度を制限する、項目６に記載のシステム。
（項目１１）
前記光源は、白色光の源を含む、項目６に記載のシステム。
（項目１２）
前記少なくとも１つの光源は、前記少なくとも１つの筋肉運動関連の神経疾患の少なくとも１つの症状を悪化させることが可能な波長において強度ピークを含む可視光を、前記少なくとも１つの筋肉運動関連の神経疾患の前記少なくとも１つの症状を悪化させるのに十分な強度で放出するようにも構成される、項目１または項目２に記載のシステム。
（項目１３）
前記光源は、前記少なくとも１つの筋肉運動関連の神経疾患の前記少なくとも１つの症状を悪化させることが可能な前記波長で前記強度ピークを放出するとき、可視光の前記少なくとも１つのピークを、前記筋肉運動関連の神経疾患を治療するのに十分でない強度で放出するように構成される、項目１２に記載のシステム。
（項目１４）
前記筋肉運動関連の神経疾患を治療する前記波長における前記少なくとも１つの強度ピーク、および前記筋肉運動関連の神経疾患の少なくとも１つの症状を悪化させることが可能な前記波長における前記強度ピークの１つだけを選択的に前記光源に放出させるための制御要素をさらに含む、項目１２に記載のシステム。
（項目１５）
少なくとも１つの筋肉運動関連の神経疾患を診断するための装置であって、
少なくとも１つの筋肉運動関連の神経疾患の症状を悪化させる波長を有する少なくとも１つのピークを含む可視光を、前記少なくとも１つの筋肉運動関連の神経疾患の前記症状を強めることになる強度で放出するように構成され、かつ、
前記少なくとも１つの筋肉運動関連の神経疾患を治療するための波長を有する少なくとも別のピークを含む可視光の、前記少なくとも１つの筋肉運動関連の神経疾患を治療することになる強度での放出を軽減させる、または防止するように構成される少なくとも１つの光源を含む、装置。
（項目１６）
前記少なくとも１つのピークは、波長が５７０ｎｍより長く、前記少なくとも別のピークは、波長が５７０ｎｍ以下である、項目１５に記載の装置。
【図１】
0006336652.tif 000006
【図２Ａ】
0006336652.tif 000007
【図２Ｂ】
0006336652.tif 000008
【図２Ｃ】
0006336652.tif 000009
【図３】
0006336652.tif 000010
【図４】
0006336652.tif 000011
【図５】
0006336652.tif 000012
【図６】
0006336652.tif 000013